(57)【要約】【課題】生体組織に対して行う処置に費やされる時間を、従来に比べて短縮し得る撮像システム及び処置具を提供する。【解決手段】本発明の撮像システムは、被写体の像を撮像し、撮像信号として出力する撮像部と、前記撮像信号に基づき、被写体の像を表示部に画像表示するための映像信号を生成し、該表示部に対して該映像信号を出力する画像処理部と、前記被写体に対して赤外光を出射する照明部を有すると共に、前記被写体を挟んで前記撮像部に略対向する位置に該照明部を配置可能とする処置具とを具備した撮像システムであって、前記被写体の像は、前記照明部から前記被写体に対して出射された赤外光の透過光に基づく像である。【選択図】図４
2007029454.tif 000002
【特許請求の範囲】
【請求項１】
被写体の像を撮像し、撮像信号として出力する撮像部と、
前記撮像信号に基づき、被写体の像を表示部に画像表示するための映像信号を生成し、該表示部に対して該映像信号を出力する画像処理部と、
前記被写体に対して赤外光を出射する照明部を有すると共に、前記被写体を挟んで前記撮像部に略対向する位置に該照明部を配置可能とする処置具とを具備した撮像システムであって、
前記被写体の像は、前記照明部から前記被写体に対して出射された赤外光の透過光に基づく像であることを特徴とする撮像システム。
【請求項２】
前記処置具は、柄部と、前記照明部を具備する面部とを有し、前記面部は、前記柄部の端部に設けられていることを特徴とする請求項１に記載の撮像システム。
【請求項３】
前記照明部は、１または複数の発光素子を有することを特徴とする請求項１または請求項２に記載の撮像システム。
【請求項４】
さらに、前記撮像システムは、前記照明部に対して赤外光を供給する光源部を有し、
前記処置具は、前記光源部から供給される赤外光を前記照明部に導くための導光部を有することを特徴とする請求項１または請求項２に記載の撮像システム。
【請求項５】
さらに、前記処置具は、前記面部を構成する、前記照明部が各々設けられた複数の面部材と、前記柄部に前記複数の面部材を各々取り付けるための軸部材と、前記軸部材を中心軸とした所定の方向に該複数の面部材を各々回動させる処置具操作部とを有することを特徴とする請求項２または請求項３に記載の撮像システム。
【請求項６】
さらに、前記撮像部が先端部に設けられた内視鏡を具備し、
前記処置具は、前記照明部から出射される赤外光の出射方向を変更可能な湾曲部を有すると共に、前記内視鏡内部に設けられた管路に挿通可能であることを特徴とする請求項１に記載の撮像システム。
【請求項７】
前記照明部が出射する赤外光の波長帯域は、少なくとも、酸化ヘモグロビンの光吸収特性における極大吸収波長を含むことを特徴とする請求項１乃至請求項６のいずれか一に記載の撮像システム。
【請求項８】
前記照明部が出射する赤外光の波長帯域は、少なくとも、ヘモグロビンの光吸収特性における極大吸収波長を含むことを特徴とする請求項１乃至請求項６のいずれか一に記載の撮像システム。
【請求項９】
被写体の像を撮像し、撮像信号として出力する撮像部と、前記撮像信号に基づき、被写体の像を表示部に画像表示するための映像信号を生成し、該表示部に対して該映像信号を出力する画像処理部とを有する撮像システムにおいて用いられる処置具であって、
前記処置具は、前記撮像部が前記被写体の透過光に基づく像を撮像するための、所定の帯域を含む赤外光を前記被写体に対して出射する照明部を有すると共に、前記被写体を挟んで前記撮像部に略対向する位置に該照明部を配置可能であることを特徴とする処置具。
【請求項１０】
さらに、柄部と、前記照明部を具備する面部とを有し、前記面部は、前記柄部の端部に設けられていることを特徴とする請求項９に記載の処置具。
【請求項１１】
前記照明部は、１または複数の発光素子を有することを特徴とする請求項９または請求項１０に記載の処置具。
【請求項１２】
前記照明部は、赤外光を出射する光源部から供給される赤外光を前記照明部に導くための導光部を有することを特徴とする請求項９または請求項１０に記載の処置具。
【請求項１３】
さらに、前記面部を構成する、前記照明部が各々設けられた複数の面部材と、前記柄部に前記複数の面部材を各々取り付けるための軸部材と、前記軸部材を中心軸とした所定の方向に該複数の面部材を各々回動させる処置具操作部とを有することを特徴とする請求項１０または請求項１１に記載の処置具。
【請求項１４】
さらに、前記照明部から出射される赤外光の出射方向を変更可能な湾曲部を有すると共に、内部に管路を有する内視鏡において、該管路に挿通可能であることを特徴とする請求項９に記載の処置具。
【請求項１５】
前記所定の帯域は、少なくとも、酸化ヘモグロビンの光吸収特性における極大吸収波長の波長帯域であることを特徴とする請求項９乃至請求項１４のいずれか一に記載の処置具。
【請求項１６】
前記所定の帯域は、少なくとも、ヘモグロビンの光吸収特性における極大吸収波長の波長帯域であることを特徴とする請求項９乃至請求項１４のいずれか一に記載の処置具。
【発明の詳細な説明】
【技術分野】
【０００１】
本発明は、撮像システム及び処置具に関し、特に、被写体の透過光の像を撮像するための撮像システム及び処置具に関するものである。
【背景技術】
【０００２】
近年、血液中に存在するヘモグロビンの光吸収特性に応じた波長帯域を有する赤外光を生体組織に対して照射することにより、該生体組織内部に関する情報として、例えば、血液中のヘモグロビン数、血管走行の状態等を得ることのできる機器が提案されている。
【０００３】
そして、前述したような生体組織内部に関する情報を得ることのできる機器として、例えば、特許文献１に提案されている撮像システムが提案されている。
【０００４】
特許文献１に提案されている撮像システムは、光源装置から出射された赤外光を内視鏡の先端部から出射することにより被写体としての生体組織等を照明し、照明された該生体組織等の像を内視鏡の先端部に設けられたＣＣＤ（電荷結合素子）を用いて撮像するという構成を有することにより、生体組織内部に関する情報として、血管走行の状態を得ることを可能としている。
【０００５】
【特許文献１】特開２００４−３５８０５１号公報
【発明の開示】
【発明が解決しようとする課題】
【０００６】
しかし、特許文献１に提案されている撮像システムは、被写体としての生体組織等に対して照射された赤外光の反射光による像を撮像する構成である。そのため、特許文献１に提案されている撮像システムを用いた場合、被写体としての生体組織等に対して照射した赤外光が、例えば、該生体組織内部に存在する脂肪等において散乱してしまうことにより、該生体組織の深部に存在する血管走行の状態を得ることが困難となることから、結果的に、該生体組織に対して行う処置に費やされる時間が長時間化してしまうという課題が生じている。
【０００７】
本発明は、前述した点に鑑みてなされたものであり、生体組織に対して行う処置に費やされる時間を、従来に比べて短縮し得る撮像システム及び処置具を提供することを目的としている。
【課題を解決するための手段】
【０００８】
本発明における第１の撮像システムは、被写体の像を撮像し、撮像信号として出力する撮像部と、前記撮像信号に基づき、被写体の像を表示部に画像表示するための映像信号を生成し、該表示部に対して該映像信号を出力する画像処理部と、前記被写体に対して赤外光を出射する照明部を有すると共に、前記被写体を挟んで前記撮像部に略対向する位置に該照明部を配置可能とする処置具とを具備した撮像システムであって、前記被写体の像は、前記照明部から前記被写体に対して出射された赤外光の透過光に基づく像であることを特徴とする。
【０００９】
本発明における第２の撮像システムは、前記第１の撮像システムにおいて、前記処置具は、柄部と、前記照明部を具備する面部とを有し、前記面部は、前記柄部の端部に設けられていることを特徴とする。
【００１０】
本発明における第３の撮像システムは、前記第１または第２の撮像システムにおいて、前記照明部は、１または複数の発光素子を有することを特徴とする。
【００１１】
本発明における第４の撮像システムは、前記第１または第２の撮像システムにおいて、さらに、前記撮像システムは、前記照明部に対して赤外光を供給する光源部を有し、前記処置具は、前記光源部から供給される赤外光を前記照明部に導くための導光部を有することを特徴とする。
【００１２】
本発明における第５の撮像システムは、前記第２または第３の撮像システムにおいて、さらに、前記処置具は、前記面部を構成する、前記照明部が各々設けられた複数の面部材と、前記柄部に前記複数の面部材を各々取り付けるための軸部材と、前記軸部材を中心軸とした所定の方向に該複数の面部材を各々回動させる処置具操作部とを有することを特徴とする。
【００１３】
本発明における第６の撮像システムは、前記第１の撮像システムにおいて、さらに、前記撮像部が先端部に設けられた内視鏡を具備し、前記処置具は、前記照明部から出射される赤外光の出射方向を変更可能な湾曲部を有すると共に、前記内視鏡内部に設けられた管路に挿通可能であることを特徴とする。
【００１４】
本発明における第７の撮像システムは、前記第１乃至第６の撮像システムにおいて、前記照明部が出射する赤外光の波長帯域は、少なくとも、酸化ヘモグロビンの光吸収特性における極大吸収波長を含むことを特徴とする。
【００１５】
本発明における第８の撮像システムは、前記第１乃至第６の撮像システムにおいて、前記照明部が出射する赤外光の波長帯域は、少なくとも、ヘモグロビンの光吸収特性における極大吸収波長を含むことを特徴とする。
【００１６】
本発明における第１の処置具は、被写体の像を撮像し、撮像信号として出力する撮像部と、前記撮像信号に基づき、被写体の像を表示部に画像表示するための映像信号を生成し、該表示部に対して該映像信号を出力する画像処理部とを有する撮像システムにおいて用いられる処置具であって、前記処置具は、前記撮像部が前記被写体の透過光に基づく像を撮像するための、所定の帯域を含む赤外光を前記被写体に対して出射する照明部を有すると共に、前記被写体を挟んで前記撮像部に略対向する位置に該照明部を配置可能であることを特徴とする。
【００１７】
本発明における第２の処置具は、前記第１の処置具において、さらに、柄部と、前記照明部を具備する面部とを有し、前記面部は、前記柄部の端部に設けられていることを特徴とする。
【００１８】
本発明における第３の処置具は、前記第１または第２の処置具において、前記照明部は、１または複数の発光素子を有することを特徴とする。
【００１９】
本発明における第４の処置具は、前記第１または第２の処置具において、前記照明部は、赤外光を出射する光源部から供給される赤外光を前記照明部に導くための導光部を有することを特徴とする。
【００２０】
本発明における第５の処置具は、前記第２または第３の処置具において、さらに、前記面部を構成する、前記照明部が各々設けられた複数の面部材と、前記柄部に前記複数の面部材を各々取り付けるための軸部材と、前記軸部材を中心軸とした所定の方向に該複数の面部材を各々回動させる処置具操作部とを有することを特徴とする。
【００２１】
本発明における第６の処置具は、前記第１の処置具において、さらに、前記照明部から出射される赤外光の出射方向を変更可能な湾曲部を有すると共に、内部に管路を有する内視鏡において、該管路に挿通可能であることを特徴とする。
【００２２】
本発明における第７の処置具は、前記第１乃至第６の処置具において、前記所定の帯域は、少なくとも、酸化ヘモグロビンの光吸収特性における極大吸収波長の波長帯域であることを特徴とする。
【００２３】
本発明における第８の処置具は、前記第１乃至第６の処置具において、前記所定の帯域は、少なくとも、ヘモグロビンの光吸収特性における極大吸収波長の波長帯域であることを特徴とする。
【発明の効果】
【００２４】
本発明における撮像システム及び処置具によると、生体組織に対して行う処置に費やされる時間が、従来に比べて短縮され得る。
【発明を実施するための最良の形態】
【００２５】
以下、図面を参照して本発明の実施の形態を説明する。図１は、本実施形態に係る内視鏡システムの要部の構成を示す図である。図２は、本実施形態に係る内視鏡システムによる観察を行う際に用いられる処置具の構成の一例を示す図である。図３は、ヘモグロビン及び酸化ヘモグロビンの光吸収特性を示す図である。図４は、本実施形態に係る内視鏡システムを構成する内視鏡と、図２に示す処置具とを用いて被写体の像を撮像する場合の、該内視鏡及び該処置具の配置状態の一例を示す図である。図５は、本実施形態に係る内視鏡システムによる観察を行う際に用いられる処置具の構成の、図２とは異なる一例を示す図である。図６は、図５に示す処置具に設けられたファイバの構成の一例を示す図である。図７は、本実施形態に係る内視鏡システムによる観察を行う際に用いられる処置具の構成の、図２及び図５とは異なる一例を示す図である。図８は、図７に示す処置具に設けられた複数の面部材を、各々所定の方向に回動させた状態の一例を示す図である。図９は、図７に示す処置具に設けられた複数の面部材のうち、一の面部材の構成の一例を示す図である。図１０は、図７に示す処置具に設けられた複数の面部材のうち、図９に示す面部材とは異なる構成を有する、他の面部材の構成の一例を示す図である。図１１は、図９及び図１０に示す面部材を取り付けるための軸部材の構成の一例を示す図である。図１２は、本実施形態に係る内視鏡システムを構成する内視鏡と、赤外光を出射するＬＥＤが設けられたファイバーケーブルとを用いて被写体の像を撮像する場合の、該内視鏡及び該ファイバーケーブルの配置状態の一例を示す図である。
【００２６】
撮像システムとしての内視鏡システム１は、図１に示すように、内視鏡２と、被写体としての生体組織５０１を照明するための照明光を出射する、光源部としての光源装置３と、光源装置３から出射された照射光を内視鏡２の先端部に導くライトガイド４と、画像処理装置５と、モニタ６と、処置具としてのリトラクター１１とを要部として有している。
【００２７】
内視鏡２は、少なくとも一部が体腔内に挿入される構成を有すると共に、生体組織５０１の像を撮像し、撮像した生体組織５０１の像を撮像信号として出力するための、対物レンズ及び撮像素子等からなる撮像部２ａを先端部に有している。
【００２８】
画像処理部としての画像処理装置５は、内視鏡２から出力された撮像信号に対して信号処理を行い、映像信号として出力する、
表示部としてのモニタ６は、画像処理装置５から出力される映像信号に基づき、生体組織５０１の像を画像表示する。
【００２９】
また、リトラクター１１は、図２に示すように、細長の柄部１２と、柄部１２の先端部に、柄部１２の軸方向に対して角度をなして設けられた面部１３とを有して構成されている。
【００３０】
柄部１２は、リトラクター１１を操作する場合に術者等が把持する把持部１２Ａと、把持部１２Ａに設けられたスイッチ１２Ｂとを後端側に有して構成されている。
【００３１】
把持部１２Ａは、電池またはバッテリー等により構成される図示しない電源部を有し、該電源部から供給される駆動電流により、後述する照明部１３Ａに設けられたＬＥＤが点灯する。
【００３２】
スイッチ１２Ｂは、術者等に操作されることにより、後述する照明部１３Ａに設けられたＬＥＤの点灯状態及び消灯状態を切り替えることができる。
【００３３】
面部１３は、被写体５０１に対して赤外光を照射するための、例えば、１または複数の面実装型のＬＥＤが設けられた照明部１３Ａを有して構成される。なお、本実施形態においては、照明部１３Ａは、図２に示すように、例えば、発光素子としてのＬＥＤ１３ａ、１３ｂ、１３ｃ、１３ｄ、１３ｅ、１３ｆ、１３ｇ、１３ｈ及び１３ｉの、９個のＬＥＤを有して構成されているものであるとするが、このような構成に限るものではない。
【００３４】
また、本実施形態においては、照明部１３Ａが有する９個のＬＥＤは、動脈の血管走行の状態を観察するために、図３に示す、酸化ヘモグロビンの光吸収特性における極大吸収波長である、９１０ｎｍ前後の波長帯域を有する光を発するものとして構成されているものであるとするが、このような構成に限るものではない。具体的には、例えば、照明部１３Ａが有する９個のＬＥＤは、静脈の血管走行の状態を観察するために、図３に示す、ヘモグロビンの光吸収特性における極大吸収波長である、７６０ｎｍ前後の波長帯域を有する光を発するものとして構成されているものであっても良い。
【００３５】
次に、本実施形態における作用について説明を行う。
【００３６】
まず、術者等は、図１に示すような状態として、内視鏡システム１の各部を接続した後、該各部の電源を投入することにより、内視鏡システム１を起動状態とする。
【００３７】
内視鏡２は、起動状態において、光源装置３が出射した照明光により照明された生体組織５０１の像を撮像し、撮像した該生体組織５０１の像を、画像処理装置に対して撮像信号として出力する。
【００３８】
内視鏡２から出力された撮像信号は、画像処理装置５に入力された後、映像信号としてモニタ６に出力される。これにより、モニタ６には、生体組織５０１の像が画像表示される。
【００３９】
術者等は、モニタ６に表示される画像を見ながら、動脈の血管走行の状態の観察対象となる所望の被写体が存在する部位まで、内視鏡２を体腔内に挿入してゆく。そして、術者等は、内視鏡２の先端部が前記所望の被写体が存在する部位に到達した際に、図示しないトロッカー等を介し、リトラクター１１を体腔内に挿入する。
【００４０】
その後、術者等は、内視鏡２の先端部及びリトラクター１１の両方が前記所望の被写体が存在する部位に到達した際に、前記所望の被写体としての、例えば、胃、または、該胃を固定している大網及び小網等である生体組織５０１に対し、内視鏡２の先端部及びリトラクター１１の各々を、図４に示すような位置関係となるように配置する。より具体的には、術者等は、内視鏡２の先端部と、リトラクター１１の照明部１３Ａとが、生体組織５０１を挟んで略対向する位置に配置されるように、内視鏡２及びリトラクター１１を移動させる。
【００４１】
内視鏡２の先端部と、リトラクター１１の照明部１３Ａとが、生体組織５０１を挟んで略対向する位置に配置された状態、すなわち、図４に示すような状態において、術者等は、光源装置３からの照射光の出射を停止させると共に、リトラクター１１のスイッチ１２Ｂをオンすることにより、照明部１３Ａが有する各ＬＥＤを点灯状態とする。
【００４２】
図４に示すような状態において、照明部１３Ａが有する各ＬＥＤが点灯状態となった場合、内視鏡２の先端部に設けられた撮像部２ａは、照明部１３Ａが有する各ＬＥＤから出射された赤外光のうち、生体組織５０１を透過した透過光の像を撮像する。そして、内視鏡２により撮像された、照明部１３Ａが有する各ＬＥＤから出射された赤外光の透過光による生体組織５０１の像は、撮像信号として、画像処理装置５に対して出力される。そして、内視鏡２から出力された撮像信号は、画像処理装置５に入力された後、映像信号としてモニタ６に出力される。これにより、モニタ６には、赤外光の反射光による像に比べ、深部における（動脈または静脈の）血管走行の状態がより明確となった、生体組織５０１の像が画像表示される。そして、術者等は、モニタ６に画像表示される、前述したような、深部における血管走行の状態が明確となった生体組織５０１の像を見ながら、生体組織５０１に対する処置を、従来に比べて短い時間により行うことができる。
【００４３】
なお、本実施形態において、内視鏡システム１による観察の際に用いられるリトラクターは、自身が有するＬＥＤが点灯状態となることにより赤外光を出射する、図２に示すリトラクター１１のような構成を有するものに限るものではなく、例えば、外部から供給される赤外光を出射する、図５に示すリトラクター１１Ａのような構成を有するものであっても良い。
【００４４】
ポリカーボネート等の透明な樹脂により形成された、処置具としてのリトラクター１１Ａは、ファイバ４１が内部を挿通するように設けられた柄部１２と、柄部１２の先端部に、柄部１２の軸方向に対して角度をなして設けられ、柄部１２から延出したファイバ４１の一端側が波形状に配置された照明部１３Ｂを有する面部１３とを有して構成されている。また、柄部１２から延出したファイバ４１の他端側は、（図５には図示していない）光源装置３に接続可能な構成を有している。そして、ファイバ４１が前述したような構成を有することにより、光源装置３から出射された照明光は、柄部１２を介し、面部１３の照明部１３Ｂに対して供給される。
【００４５】
なお、光源装置３から出射される前記照明光は、動脈の血管走行の状態を観察するための、９１０ｎｍ前後の波長帯域を有する赤外光、または、静脈の血管走行の状態を観察するための、７６０ｎｍ前後の波長帯域を有する赤外光のいずれかであるとする。また、光源装置３は、図示しない帯域制限フィルタを有し、これにより、前述した２種類の赤外光のうち、いずれか一方の赤外光を前記照明光として選択的に出射可能であるとする。
【００４６】
導光部としてのファイバ４１は、図６に示すように、クラッド４３が遮光部材４２に覆われた状態の遮光部４１Ａと、クラッド４３が遮光部材４２に覆われていない状態の発光部４１Ｂとを有して構成されている。
【００４７】
遮光部４１Ａは、図５に示すように、一端が柄部１２の内部を挿通して設けられていると共に、他端が（図５には図示していない）光源装置３に接続可能な構成を有している。また、照明部１３Ｂを構成する発光部４１Ｂは、図５に示すように、クラッド４３が露出した状態として、面部１３に波形状に配置されている。
【００４８】
以上に述べた構成により、内視鏡システム１による観察の際にリトラクター１１Ａが用いられた場合、光源装置３から出射された赤外光は、遮光部４１Ａにより遮光された状態において伝送された後、照明部１３Ｂを構成する発光部４１Ｂにおいて、生体組織５０１に対して出射される。その後、前述した、リトラクター１１と略同様の作用により、モニタ６には、赤外光の反射光による像に比べ、深部における（動脈または静脈の）血管走行の状態がより明確となった、生体組織５０１の像が画像表示される。その結果、前述した、リトラクター１１が用いられた場合と略同様の作用及び効果を得ることができる。
【００４９】
また、本実施形態において、内視鏡システム１による観察の際に用いられるリトラクターは、図２に示すリトラクター１１及び図５に示すリトラクター１１Ａのような構成を有するものに限るものではなく、例えば、図７に示すリトラクター１１１のような構成を有するものであっても良い。
【００５０】
処置具としてのリトラクター１１１は、図７に示すように、柄部１１２と、柄部１１２の先端側に取り付けられた複数の面部材からなる面部１１３と、柄部１１２と、前記複数の面部材各々とを接続するための軸部材１１５とを有して構成されている。
【００５１】
柄部１１２は、リトラクター１１１を操作する場合に術者等が把持する把持部１１２Ａを後端側に有し、また、把持部１１２Ａは、スイッチ１１２Ｂと、ハンドル部１１２Ｃとを有して構成されている。また、把持部１１２Ａは、電池またはバッテリー等により構成される図示しない電源部を有し、該電源部から供給される駆動電流により、後述する照明部１１３Ａ及び１１３Ｂに設けられたＬＥＤが点灯する。
【００５２】
スイッチ１１２Ｂは、術者等に操作されることにより、後述する照明部１１３Ａ及び１１３Ｂに設けられたＬＥＤの点灯状態及び消灯状態を切り替えることができる。
【００５３】
処置具操作部としてのハンドル部１１２Ｃは、伸縮自在な図示しないばね部を内部に有し、術者等により操作されない状態においては、例えば、ハンドル部１１２Ｃ自身の位置が図７に示すような位置となるように保持する。
【００５４】
また、ハンドル部１１２Ｃは、術者等により、図７の矢印Ａに示す方向、すなわち、柄部１１２の後端側への牽引操作に連動して図示しないばね部が縮むと共に、後述する面部材１１４Ａ及び１１４Ｂが、軸部材１１５を回動軸とした所定の方向、すなわち、図７に示すＲ方向へ各々回動することにより、面部１１３の形状を、図８に示す扇形形状とすることのできる構成を有している。なお、ハンドル部１１２Ｃは、術者等による牽引操作が解除された場合に、図示しないばね部が伸びることにより、図８の矢印Ｂに示す方向、すなわち、柄部１１２の先端側へ移動し、ハンドル部１１２Ｃ自身の位置及び面部１１３の形状を図７に示すような状態に戻すことができる構成を有している。
【００５５】
面部１１３は、図８に示すような構成を有する１枚の面部材１１４Ａと、図１０に示すような構成を有する１または複数枚の面部材１１４Ｂとを有して構成されている。なお、本実施形態においては、面部１１３は、面部材１１４Ａを１枚有すると共に、面部材１１４Ｂを３枚有して構成されているものであるとするが、このような構成に限るものではない。
【００５６】
面部材１１４Ａは、被写体に対して赤外光を照射するための、例えば、１または複数の面実装型のＬＥＤが設けられた照明部１１３Ａと、軸部材１１５の外径と略同一の内径を有し、内周面に金属等の導電部材が設けられた孔部１１５ａとを有して構成される。なお、本実施形態においては、照明部１１３Ａは、図８に示すように、例えば、発光素子としてのＬＥＤ１３１ａ、１３１ｂ、１３１ｃ、１３１ｄ、１３１ｅ、１３１ｆ、１３１ｇ、１３１ｈ及び１３１ｉの、９個のＬＥＤを有して構成されているものであるとするが、このような構成に限るものではない。
【００５７】
また、面部材１１４Ｂは、被写体に対して赤外光を照射するための、例えば、１または複数の面実装型のＬＥＤが設けられた照明部１１３Ｂと、軸部材１１５の外径と略同一の内径を有し、内周面に金属等の導電部材が設けられた孔部１１５ｂとを有して構成される。なお、本実施形態においては、照明部１１３Ｂは、図１０に示すように、例えば、発光素子としてのＬＥＤ１３１ｐ、１３１ｑ及び１３１ｒの、３個のＬＥＤを有して構成されているものであるとするが、このような構成に限るものではない。
【００５８】
なお、本実施形態においては、照明部１１３Ａが有する９個のＬＥＤ及び照明部１１３Ｂが有する３個のＬＥＤは、動脈の血管走行の状態を観察するために、図３に示す、酸化ヘモグロビンの光吸収特性における極大吸収波長である、９１０ｎｍ前後の波長帯域を有する光を発するものとして構成されているものであるとするが、このような構成に限るものではない。具体的には、例えば、照明部１１３Ａが有する９個のＬＥＤ及び照明部１１３Ｂが有する３個のＬＥＤは、静脈の血管走行の状態を観察するために、図３に示す、ヘモグロビンの光吸収特性における極大吸収波長である、７６０ｎｍ前後の波長帯域を有する光を発するものとして構成されているものであっても良い。
【００５９】
軸部材１１５は、孔部１１５ａ及び孔部１１５ｂの内径と略同一の外径を有すると共に、図１１に示すように、把持部１１２Ａに設けられた図示しない電源部から供給される駆動電流を、孔部１１５ａ及び孔部１１５ｂを各々介し、面部材１１４Ａ及び面部材１１４Ｂに各々供給可能とするために、前記電源部に各々接続された複数の電極を外周面に有して構成されている。なお、本実施形態においては、軸部材１１５は、図１１に示すように、例えば、電極１１５Ａ、１１５Ｂ、１１５Ｃ及び１１５Ｄの、４個の電極を有して構成されているものであるとするが、このような構成に限るものではない。
【００６０】
前述したような構成において、面部材１１４Ａは、軸部材１１５に対し、孔部１１５ａが電極１１５Ａの位置に配置されるように取り付けられる。また、前述したような構成において、３枚の面部材１１４Ｂは、軸部材１１５に対し、孔部１１５ｂが電極１１５Ｂ、１１５Ｃ及び１１５Ｄの位置に配置されるように各々取り付けられる。
【００６１】
すなわち、柄部１１２の先端側に設けられた面部１１３は、軸部材１１５に対して前述したような状態として取り付けられた、面部材１１４Ａ及び３枚の面部材１１４Ｂを有して構成されている。
【００６２】
以上に述べた構成により、内視鏡システム１による観察の際に、リトラクター１１１が、図７に示すような状態として用いられた場合、前述した、リトラクター１１またはリトラクター１１Ａが用いられた場合と略同様の作用及び効果を得ることができる。さらに、内視鏡システム１による観察の際に、リトラクター１１１が、図８に示すような、面部１１３が扇形形状になった状態として用いられた場合、照明部１１３Ａに加え、照明部１１３Ｂからも、生体組織５０１に対して赤外光が出射されるため、リトラクター１１及びリトラクター１１Ａに比べ、生体組織５０１のより広い範囲において血管走行の状態を得ることができる。
【００６３】
さらに、内視鏡システム１による観察の際に、処置具等を挿通するための図示しない処置具チャンネルが内部に設けられた内視鏡２を用いた場合、前述したような構成を有するリトラクター１１は、例えば、図１２に示すようなファイバーケーブル２０１により代用することができる。
【００６４】
処置具としてのファイバーケーブル２０１は、所望の方向に湾曲可能な湾曲部２０１Ａと、湾曲部２０１Ａに設けられ、赤外光を出射するＬＥＤ２０２とを有すると共に、内視鏡２の内部に設けられた管路としての図示しない処置具チャンネルに挿通可能な寸法及び形状を有している。そして、湾曲部２０１Ａは、前述したような構成を有することにより、照明部としてのＬＥＤ２０２から出射される赤外光の出射方向を変更可能である。
【００６５】
内視鏡システム１による観察の際に、ファイバーケーブル２０１を用いた場合、術者等は、内視鏡２の先端部と、ＬＥＤ２０２とが、生体組織５０１を挟んで略対向する位置に配置された状態、すなわち、図１２に示すような状態となるように内視鏡２を移動させると共に、湾曲部２０１Ａを湾曲させてゆく。そして、術者等は、図１２に示すような状態において、ＬＥＤ２０２から赤外光を出射させる。
【００６６】
以上に述べた構成により、内視鏡システム１による観察の際にファイバーケーブル２０１が用いられた場合、リトラクターを用いることなく、前述した、リトラクター１１が用いられた場合と略同様の効果を得ることができる。
【００６７】
なお、本発明は、上述した実施形態に限定されるものではなく、発明の趣旨を逸脱しない範囲内において種々の変更や応用が可能であることは勿論である。
【図面の簡単な説明】
【００６８】
【図１】本実施形態に係る内視鏡システムの要部の構成を示す図。
【図２】本実施形態に係る内視鏡システムによる観察を行う際に用いられる処置具の構成の一例を示す図。
【図３】ヘモグロビン及び酸化ヘモグロビンの光吸収特性を示す図。
【図４】本実施形態に係る内視鏡システムを構成する内視鏡と、図２に示す処置具とを用いて被写体の像を撮像する場合の、該内視鏡及び該処置具の配置状態の一例を示す図。
【図５】本実施形態に係る内視鏡システムによる観察を行う際に用いられる処置具の構成の、図２とは異なる一例を示す図。
【図６】図５に示す処置具に設けられたファイバの構成の一例を示す図。
【図７】本実施形態に係る内視鏡システムによる観察を行う際に用いられる処置具の構成の、図２及び図５とは異なる一例を示す図。
【図８】図７に示す処置具に設けられた複数の面部材を、各々所定の方向に回動させた状態の一例を示す図。
【図９】図７に示す処置具に設けられた複数の面部材のうち、一の面部材の構成の一例を示す図。
【図１０】図７に示す処置具に設けられた複数の面部材のうち、図９に示す面部材とは異なる構成を有する、他の面部材の構成の一例を示す図。
【図１１】図９及び図１０に示す面部材を取り付けるための軸部材の構成の一例を示す図。
【図１２】本実施形態に係る内視鏡システムを構成する内視鏡と、赤外光を出射するＬＥＤが設けられたファイバーケーブルとを用いて被写体の像を撮像する場合の、該内視鏡及び該ファイバーケーブルの配置状態の一例を示す図。
【符号の説明】
【００６９】
１・・・内視鏡システム、２・・・内視鏡、２ａ・・・撮像部、３・・・光源装置、４・・・ライトガイド、５・・・画像処理装置、６・・・モニタ、１１，１１Ａ，１１１・・・リトラクター、１２，１１２・・・柄部、１２Ａ，１１２Ａ・・・把持部、１２Ｂ，１１２Ｂ・・・スイッチ、１３，１１３・・・面部、１３ａ，１３ｂ，１３ｃ，１３ｄ，１３ｅ，１３ｆ，１３ｇ，１３ｈ，１３ｉ，１３１ａ，１３１ｂ，１３１ｃ，１３１ｄ，１３１ｅ，１３１ｆ，１３１ｇ，１３１ｈ，１３１ｉ，１３１ｐ，１３１ｑ，１３１ｒ・・・ＬＥＤ、１３Ａ，１１３Ａ，１１３Ｂ・・・照明部、１３Ｂ・・・照明部、４１・・・ファイバ、４１Ａ・・・遮光部、４１Ｂ・・・発光部、４２・・・遮光部材、４３・・・クラッド、１１２Ｃ・・・ハンドル部、１１４Ａ・・・面部材、１１４Ｂ・・・面部材、１１５・・・軸部材、１１５ａ，１１５ｂ・・・孔部、１１５Ａ，１１５Ｂ，１１５Ｃ，１１５Ｄ・・・電極、２０１・・・ファイバーケーブル、２０１Ａ・・・湾曲部、５０１・・・生体組織
【図１】
2007029454.tif 000003
【図２】
2007029454.tif 000004
【図３】
2007029454.tif 000005
【図４】
2007029454.tif 000006
【図５】
2007029454.tif 000007
【図６】
2007029454.tif 000008
【図７】
2007029454.tif 000009
【図８】
2007029454.tif 000010
【図９】
2007029454.tif 000011
【図１０】
2007029454.tif 000012
【図１１】
2007029454.tif 000013
【図１２】
2007029454.tif 000014